(57)【特許請求の範囲】
【請求項１】
プール用循環式濾過機であって、この濾過機はカバーを有すると共に水を濾過する濾過部とヘアキャッチャーとを備え、前記カバーは、前記濾過部の第１ケースと前記ヘアキャッチャーの第２ケースとを一体に形成し、前記第１ケースを覆う第１蓋と前記第２ケースを覆う第２蓋とは別体に形成され、前記カバーと第１蓋と第２蓋で濾過部およびヘアキャッチャーが形成されたことを特徴とするプール用循環式濾過機。
【請求項２】
前記ヘアキャッチャーと濾過機のポンプとを接続する連結管、及び前記ポンプと濾過部とを接続する連結管が、濾過部の周囲を回るようにしてそれぞれ配設された請求項１記載のプール用循環式濾過機。
【請求項３】
前記濾過機は吸込ホースを接続する吸込口と、吐出ホースを接続する吐出口とを備え、この吸込口と吐出口とは濾過機の対向側面に形成された請求項１又は２記載のプール用循環式濾過機。
【発明の詳細な説明】
【０００１】
【発明の属する技術分野】
本発明は、プール用循環式濾過機であって、特に据置式の子供用プールに使用するのに最適な濾過機に関する。
【０００２】
【従来の技術】
ＦＲＰ（繊維強化樹脂）で形成された組立・据置式の子供用プールがあり、この子供用プールは夏期シーズンにおいて幼稚園や保育所等の庭や広場に据え置きして水遊びができるようになっている。この場合、子供用プールＡには図６に示すように小型の循環式濾過機Ｂが外部に付設され、この濾過機ＢによってプールＡ内の水を吸込ホースＣを介して少しずつ吸い込むと共に、これを濾過した後の清浄水を吐出ホースＤを介してプールＡ内に戻すようにしている。
【０００３】
従来の濾過機Ｂは、図５（ａ）〜（ｃ）に示すように台車Ｅの上にヘアキャッチャーＦと、ポンプＧと、複数のフィルタハウジングＨとを搭載し、ヘアキャッチャーＦは吸込口Ｉと接続すると共にポンプＧに接続し、フィルタハウジングＨはポンプＧ及び吐出口Ｊと接続し、更に吸込口Ｉには前記吸込ホースＣを接続し、吐出口Ｊには吐出ホースＤを接続している。吸込ホースＣ及び吐出ホースＤは、クランプＫを介してプールＡに仮固定される。
【０００４】
前記ポンプＧにより吸い込まれたプールＡ内の水は、吸込ホースＣを通ってヘアキャッチャーＦ内に流入し、ここで水中に混入している抜け毛や糸くずその他比較的大きいゴミ等が網カゴにより捕捉された後、前記ポンプＧを通過して複数のフィルタハウジングＨ内に端から順次流入し、このフィルタハウジングＨ内の円筒状フィルタ（図示されず）により濾過された後、前記吐出口Ｊから清浄水が吐出され吐出ホースＤを通ってプールＡ内に戻される。従って、プールＡ内の水は濾過機Ｂによって循環しながら清浄化される。
【０００５】
使用後はプールＡを分解して折り畳み、翌年の夏期シーズンまで倉庫等に保管し、濾過機Ｂは吸込ホースＣ及び吐出ホースＤをそれぞれ外し、台車Ｅごと倉庫まで移動して保管する。その際、移動に便利なように台車Ｅの端部に取っ手Ｌが付いている。
【０００６】
【発明が解決しようとする課題】
上記従来の濾過機Ｂでは、複数のフィルタハウジングＨが高い位置に配設されているため、濾過機Ｂの高さ寸法が大きくなって小型コンパクト化できず、又構成部品が多くて全重量が重くなる問題がある。更に、吸込口Ｉと吐出口Ｊとが一方の側面部に並設されており、図６のように吸込ホースＣ及び吐出ホースＤを接続する関係で濾過機ＢをプールＡにぴったり押し付けることはできない問題があり、又ヘアキャッチャーＦのゴミを取り除く時とか、フィルタの交換を行う時カバーＭやフィルタハウジングＨを外す必要があり作業が面倒であった。
【０００７】
本発明は、このような従来の濾過機Ｂにおける問題を解決するためになされ、小型コンパクト化及び軽量化が図れると共に作業性の向上ができ、濾過機をプールにぴったり押し付けられるようにしたプール用循環式濾過機を提供することを目的とする。
【０００８】
【課題を解決するための手段】
上記の目的を達成するための手段として、本発明は、プール用循環式濾過機であって、この濾過機はカバーを有すると共に水を濾過する濾過部とヘアキャッチャーとを備え、前記カバーは、前記濾過部の第１ケースと前記ヘアキャッチャーの第２のケースとを一体に形成し、前記第１ケースを覆う第１蓋と前記第２ケースを覆う第２蓋とは別体に形成され、前記カバーと第１蓋と第２蓋で濾過部およびヘアキャッチャーが形成されたプール用循環式濾過機を要旨とする。
又、このプール用循環式濾過機において、
前記ヘアキャッチャーと濾過機のポンプとを接続する連結管、及び前記ポンプと濾過部とを接続する連結管が、濾過部の周囲を回るようにしてそれぞれ配設されたこと、
前記濾過機は吸込ホースを接続する吸込口と、吐出ホースを接続する吐出口とを備え、この吸込口と吐出口とは濾過機の対向側面に形成されたこと、
を要旨とするものである。
【０００９】
本発明は、濾過部の第１ケースとヘアキャッチャーの第２ケースとがカバーと一体に形成されることで部品の削減と軽量化が図れる。又、第１ケース内にカートリッジフィルタを収納して濾過機の高さ寸法を低くし、濾過機内の連結管を濾過部の周囲に配設することで小型コンパクト化が図れ、エアー抜きも不要となる。更に、濾過機の吸込口と吐出口とを対向側面に形成することで、吸込ホース及び吐出ホースと共に濾過機をプールに押し付けて位置させることができる。
【００１０】
【発明の実施の形態】
次に、本発明に係るプール用循環式濾過機の実施形態を添付図面に基づいて説明する。図１（ａ）は濾過機１の正面図、（ｂ）は上面破断の平面図、（ｃ）は側面図であり、この濾過機１の吸込口１ａと吐出口１ｂとは対向側面に形成され、これら吸込口１ａ、吐出口１ｂには開閉バルブ２，３がそれぞれ設けられている。又、濾過機１の底部１ｃの四隅部にはキャスタ４がそれぞれ取り付けられている。
【００１１】
５はＦＲＰ製のカバーであり、図２（ｃ）のように第１ケース１５と第２ケース５ｂとがカバー５と一体に形成されている。このカバー５は前記吸込口１ａと吐出口１ｂとを除いて濾過機１全体を被覆し、下端周縁部を前記底部１ｃにビス等で取り付けるようになっている。第１ケース１５の上端には開閉可能な第１蓋６が複数の止め具６ａを介して取り付けられ、第２ケース５ｂの上端には同じく開閉可能な第２蓋７が複数の止め具７ｂを介して取り付けられている。又、図１（ｃ）のように段部の垂直面には覗き孔５ａが形成されている。
【００１２】
前記第２ケース５ｂの下端には、図２（ａ）のように樹脂製の略ズボン型の底部材８を取り付けると共に、底部材８の円筒状脚部８ａ、８ｂにはそれぞれエルボ管９，１０を取り付け、更に円筒状脚部８ｂの上部には細かいメッシュの網カゴ１１を着脱可能に装着することでヘアキャッチャー１２が形成されている。エルボ管９の端部は、図２（ｃ）のように前記吸込口１ａに接続され、エルボ管１０の端部は、図３のようにポンプ１３の吸込口１３ａに連結管１４を介して接続される。従って、吸入口１ａから吸入される水は、エルボ管９を通って円筒状脚部８ａに導入されると共に、その上端部から横に流れてもう一方の円筒状脚部８ｂに流入し、この円筒状脚部８ｂを流下してエルボ管１０、連結管１４を通ってポンプ１３の吸込口１３ａに送り込まれる。
【００１３】
前記第１ケース１５は、図２（ｂ）のように半球状底部１５ａの上端に仕切板１６が取り付けられ、この仕切板１６の中央には導入管１５ｂが上向きに突出状態で配設され、且つ導入管１５ｂの下端部にはエルボ管１７が接続されている。このエルボ管１７の端部は、図３のように前記ポンプ１３の吐出口１３ｂと連結管１８を介して接続される。従って、ポンプ１３から吐出される水は連結管１８、エルボ管１７、導入管１５ｂを通って第１ケース１５の内部に導入される。
【００１４】
前記第１ケース１５の内部には、図１（ｂ）のように導入管１５ｂを中心として複数の円筒状カートリッジフィルタ１９が円周方向に間隔をあけて着脱可能に配設され、これら各カートリッジフィルタ１９の中空部１９ａは図２（ｂ）のように前記仕切板１６を貫通して第１ケース１５の底部１５ａに連通し、更に底部１５ａの排出孔１５ｃに取り付けられたエルボ管２０に通じている。このエルボ管２０の端部は、前記濾過機１の吐出口１ｂに連結管２１を介して接続される（図３）。これにより、濾過部２２が構成され、前記第１ケース１５の排出孔１５ｃから排出される水は、エルボ管２０、連結管２１を通って濾過機１の吐出口１ｂから吐出されることになる。
【００１５】
前記濾過機１の底部１ｃは、図２（ｃ）のようにカバー５の下端部の枠体に差し渡して取り付けられた支持材２３，２４とから構成され、これら支持材２３、２４の下面の両端部に前記キャスタ４がそれぞれ取り付けられ、更に支持材２３の上面には前記ポンプ１３が固定されている。図示は省略したが、ポンプ１３には圧力計が立設され、この圧力計は前記カバー５の覗き孔５ａに臨んで位置しており、その覗き孔５ａから圧力計の指針を視認できるようにしてある。尚、図１（ｃ）において２５は配線コードであり、２６はスイッチである。
【００１６】
このように構成された本発明の濾過機１は、図４（ａ）、（ｂ）に示すように据置式の子供用プール２７に付設して使用する。この使用に際しては、前記濾過機１の吸込口１ａに吸込ホース２８を接続すると共に、この吸込ホース２８の端部を子供用プール２７の排水口２７ａに接続し、濾過機１の吐出口１ｂには吐出ホース２９を接続し、その端部は子供用プール２７の縁にクランプ３０等で仮固定する。この場合、濾過機１の吸込口１ａと吐出口１ｂとが対向側面に位置しているため、濾過機１を子供用プール２７にぴったり押し当てて置くことができ、且つ吸込ホース２８及び吐出ホース２９を子供用プール２７の外周部に沿って這わすことができるため邪魔になることはない。この濾過機１を作動させることでプール内の水を循環しながら清浄化することができる。３１はプール内の水を排出するための排水バルブである。
【００１７】
前記子供用プール２７の排水口２７ａの開閉バルブを開くと、プール内の水が一部流出して吸込ホース２８内を通り、開閉バルブ２、３を開いた濾過機１の吸込口１ａから吸い込まれる。この時、ヘアキャッチャー１２がプール水位より低い高さであるため、いわゆる呼び水は不要である。
【００１８】
吸込口１ａから吸い込まれた水は、前記のようにエルボ管９を経てヘアキャッチャー１２における底部の円筒状脚部８ａ内に流入し、更に上端部まで吸い上げられて横に流れ、隣接する円筒状脚部８ｂの上部に流入する。この円筒状脚部８ｂに流入した水は、前記網カゴ１１を通過する際に水中に混入している抜け毛や糸くず、大きいゴミ等が捕捉される。
【００１９】
この場合、水は下から吸い上げられて一旦横方向に流れが変えられ、その後網カゴ１１を通過するので流量の変動が少なく、網カゴ１１での捕捉作用が円滑に且つ効率良く行われる。又、従来のヘアキャッチャーでは、前記のように水が横方向に通過する方式であるから網カゴの側面に捕捉物が溜まると流水を阻害することがあったが、本発明では下方向に通過する方式であるため、例え網カゴ１１の底部に捕捉物が溜まったとしても流水は網カゴ１１の側面を抜けて通過し、これにより流水阻害が防止される。
【００２０】
前記第２蓋７を外せば、網カゴ１１を持ち上げて円筒状脚部８ｂから容易に外すことができる。このため、捕捉物が溜まったときには網カゴ１１を取り出し、捕捉物を廃棄した後に円筒状脚部８ｂに再び装着し、第２蓋７を取り付けることができる。この第２蓋７は、透明の材質で形成すれば第２蓋７を通して捕捉物の溜まり具合を外部から観察できて便利になる。
【００２１】
網カゴ１１を通過した水は、円筒状脚部８ｂを流下して前記エルボ管１０に流入し、このエルボ管１０から連結管１４を経てポンプ１３の吸込口１３ａに流入する。そして、ポンプ１３の吐出口１３ｂから吐出された水は、前記連結管１８、エルボ管１７を経て濾過部２２の第１ケース１５に流入する。
【００２２】
第１ケース１５の導入管１５ｂから内部に流入した水は、円周方向に配設された複数の円筒状カートリッジフィルタ１９の側面から浸入して中空部１９ａに至る際に濾過される。この濾過によって水中に混入している微細なゴミ、不純物等が除去される。この場合、水は第１ケース１５の下から流入して貯溜される状態となるから、複数のカートリッジフィルタ１９に対してゆっくりとした流速で浸入することとなり、その濾過作用を丹念に且つ効率良く行うことができる。又、前記第１蓋６を外せば第１ケース１５の上端部が開口するため、カートリッジフィルタ１９の交換を容易に行うことができる。
【００２３】
前記のように複数のカートリッジフィルタ１９は、第１ケース１５内に円周方向に沿って配設されているので、従来のように各カートリッジフィルタを収納するための複数のフィルタハウジングＨが不要になると共に、低いカートリッジフィルタを使用することで高さも抑えることができる。これにより、濾過部２２を小型コンパクト化することができる。
【００２４】
各カートリッジフィルタ１９により濾過された水（清浄水）は、第１ケース１５の底部１５ａ内で合流し、その排出孔１５ｃから前記エルボ管２０内に流入し、連結管２１を経て濾過機１の吐出口１ｂから吐出ホース２９内に流入する。この吐出ホース２９内に流入した清浄水は、吐出ホース２９の端部から前記子供用プール２７内に戻される。このようにして、子供用プール２７内の水を一部ずつ循環しながら清浄化することができる。
【００２５】
使用後、濾過機１は前記吸込ホース２８及び吐出ホース２９を外し、ポンプ３０等のメンテナンスを施した後に倉庫等に保管する。又、濾過機１の底部１ｃは、フレーム構造となっているため通気性に優れており、保管中に濾過機１の内部に湿気がこもらずポンプ１３等の構成部材を良好状態に維持することができる。
【００２６】
【発明の効果】
以上説明したように、本発明に係るプール用循環式濾過機によれば次のような優れた効果が得られる。
(1)  濾過機のカバー、第１ケース、第２ケースをＦＲＰで一体成形したので、部品の削減と軽量化が図れる。
(2)  第１ケースの内部に複数のカートリッジフィルタを収納したため、複数のフィルタハウジングが不要になると共に、濾過機の小型コンパクト化に役立つ。
(3)  濾過機の吸込口と吐出口とを対向側面に設けたので、濾過機をプールにぴったり押し付けて置くことができ、吸込ホース及び吐出ホースも邪魔になることはない。
(4)  ヘアキャッチャーのゴミを取り除く時、フィルタの交換をする時にはケースの第２蓋を外せばよいので作業性が向上する。
(5)  ヘアキャッチャーとポンプとを接続する連結管、及びポンプと濾過部とを接続する連結管を、濾過部の周囲を回るようにしてそれぞれ配設することで小型コンパクト化に役立つと共に、ポンプ等の修理時に十分に引き出すことができる。
【図面の簡単な説明】
【図１】  本発明に係るプール用循環式濾過機の実施形態を示すもので、（ａ）は正面図、（ｂ）は上面破断の平面図、（ｃ）は側面図
【図２】  （ａ）は図１（ｂ）のＰ−Ｐ線概略断面図、（ｂ）は同じくＱ−Ｑ線概略断面図、（ｃ）はＲ−Ｒ線概略断面図
【図３】  連結管の配設状態を示す説明図
【図４】  子供用プールに濾過機を使用した状態を示すもので、（ａ）は平面図、（ｂ）は正面図
【図５】  従来の濾過機の一例を示すもので、（ａ）は正面図、（ｂ）はカバーを外した状態での正面図、（ｃ）はカバーを外した状態での平面図
【図６】  従来の濾過機の使用状態を示す概略平面図
【符号の説明】
１…濾過機
１ａ…吸込口
１ｂ…吐出口
２，３…開閉バルブ
４…キャスタ
５…カバー
５ｂ…第２ケース
６…第１蓋
７…第２蓋
８…底部材
９，１０…エルボ管
１１…網カゴ
１２…ヘアキャッチャー
１３…ポンプ
１４…連結管
１５…第１ケース
１６…仕切板
１７…エルボ管
１８…連結管
１９…カートリッジフィルタ
２０…エルボ管
２１…連結管
２２…濾過部
２３、２４…支持材
２５…配線コード
２６…スイッチ
２７…子供用プール
２８…吸込ホース
２９…吐出ホース
３０…クランプ
３１…排水バルブ
【図１】
0004404475.tif 000002
【図２】
0004404475.tif 000003
【図３】
0004404475.tif 000004
【図４】
0004404475.tif 000005
【図５】
0004404475.tif 000006
【図６】
0004404475.tif 000007